(57)【要約】【解決手段】人の毛髪を巻き付けるためのヘアカーラー１は、合成物質または金属を材料にした、中空の形状付与した成形部材から成る支持体２を有し、この支持体が、この支持体の中間領域３内において毛髪部分を巻き付けるための巻き付け面を備えている。この支持体２は、この支持体の両方の軸線方向の端部で、頭部８に沿ってこのヘアカーラー１を固定するためのそれぞれ１つの固定領域４、を有しており、この固定領域が、この中間領域３と比較して、段差的に拡大された直径１４を有しており、且つ、フックベルト５または付着用突起部を備えている。
2005537875.tif 000002
【特許請求の範囲】
【請求項１】
人の毛髪を巻き付けるためのヘアカーラー（１）であって、このヘアカーラーが、
合成物質または金属を材料にした、中空の形状付与した成形部材から成る支持体（２）を有し、この支持体が、毛髪部分を巻き付けるための巻き付け面を有する中間領域（３）、および、両端部で頭部に沿ってこのヘアカーラー（１）を固定するための比較的に大きな直径を有するそれぞれ１つの固定領域（４）、を備えており、その際、
この中間領域（３）が、巻き付けられるべき毛髪部分内へと係合するための突出部を、および、これら固定領域（４）が、巻き付け工程の後に、この頭部に沿ってこのヘアカーラー（１）を固定するためのフック形状の保持部材（６）を有している様式の上記ヘアカーラーにおいて、
頭部（８）に沿ってのこのヘアカーラー（１）の固定のための固定領域（４）が、巻き付けられるべき毛髪部分のための収容スペースの準備のために、中間領域（３）内におけるより小さな直径（１２）と比較して、段差的に拡大された直径（１４）を有していること、および、
この中間領域（３）内における突出部が、巻き付け工程の開始時における毛髪の先端を固定するために、支持体（２）から半径方向に突出するとげ状体（１１、１８、１９）として形成されており、これらとげ状体の半径方向の長さが、ほぼ、固定領域（４）に沿ってのフック形状の保持部材（６）の半径方向長さの半分に相応すること、
を特徴とするヘアカーラー。
【請求項２】
固定領域（４）の軸線方向の長さは、中間領域（３）の軸線方向の長さに対して、１：３から、ほぼ１：６までの比率内において寸法を設定されているように構成されていることを特徴とする請求項１に記載のヘアカーラー。
【請求項３】
それぞれの固定領域（４）は、一定の、軸線方向の長さにわたって一貫した直径（１４）を有して形成されていることを特徴とする請求項１または２に記載のヘアカーラー。
【請求項４】
中間領域（３）の直径（１２）と、それぞれの固定領域（４）の直径（１４）との間の直径の段差は、所定の長さ、および従って毛髪部分の巻き付け厚さにそれぞれ応じて、寸法を設定されるように構成されていることを特徴とする請求項１から３のいずれか一つに記載のヘアカーラー。
【請求項５】
直径の段差は、ほぼ２からほぼ８ｍｍまでの値であることを特徴とする請求項４に記載のヘアカーラー。
【請求項６】
中間領域（３）は、一定の、軸線方向の長さにわたって一貫した直径（１２）を有して形成されていることを特徴とする請求項１から５のいずれか一つに記載のヘアカーラー。
【請求項７】
支持体（２）は、この支持体の中間領域（３）において、及び／または両方の固定領域（４）において、円形の、長円形の、または、多角形の断面を有していることを特徴とする請求項１から６のいずれか一つに記載のヘアカーラー。
【請求項８】
中間領域（３）の表面は、全面的または部分的に、粗面化、波状起伏化、または、とげ状化されて形成されていることを特徴とする請求項１から７のいずれか一つに記載のヘアカーラー。
【請求項９】
支持体（２）は、形状安定的に形成されていることを特徴とする請求項１から８のいずれか一つに記載のヘアカーラー。
【請求項１０】
支持体（２）は、柔軟に、且つ弾性的に形成されていることを特徴とする請求項１から８のいずれか一つに記載のヘアカーラー。
【発明の詳細な説明】
【技術分野】
【０００１】
本発明は、人の毛髪を巻き付けるためのヘアカーラーに関し、このヘアカーラーが、合成物質または金属を材料にした、中空の形状付与した成形部材から成る支持体を有し、この支持体が、毛髪部分を巻き付けるための巻き付け面を有する中間領域、および、両端部で頭部に沿ってこのヘアカーラーを固定するための比較的に大きな直径を有するそれぞれ１つの固定領域、を備えている。この中間領域は、巻き付けられるべき毛髪部分内へと係合するための突出部を、および、これら固定領域が、巻き付け工程の後に、この頭部に沿ってこのヘアカーラーを固定するためのフック形状の保持部材を有している。この支持体は、有利には、貫通開口された状態で形成されており、且つ、ある程度の、形状付与した弾力性を備えており、しかしながら同様に、特にこの支持体が金属から成る場合、形状不変にも形成され得る。このようなヘアカーラーは、周知のごとく、毛髪部分を巻き毛に巻き付けるため、およびこれに伴って、この毛髪の形状賦与形態を加減するために使用される。
【背景技術】
【０００２】
冒頭に記載した様式のヘアカーラーは、ドイツ連邦共和国特許出願公開第１７  ５７  ７１４号明細書（特許文献１）から公知である。このヘアカーラーは、合成物質を材料にした、中空の形状を付与した成形部材から成る支持体を有している。この支持体は、毛髪部分を巻き付けるための巻き付け面を有する中間領域を備えており、この中間領域に、両端部で、それぞれ１つの固定領域が連なっている。この中間領域は、凹状に成形されており、且つ、直径の段差（直径の急激な変化）無しに端部領域内へと移行している。この中間領域は、巻き付けられるべき毛髪部分に係合するための突出部を有しており、これに対して、これら固定領域が、巻き付け工程の終了の後に頭部に沿って、このヘアカーラーを固定するためのフック形状の保持部材を有している。この中間領域内におけるこれら突出部は、きのこ形状に、自由な端部において肉厚部を備えていることも可能である。この中間領域内における突出部、および、フック形状の保持部材は、ほぼ一致した状態の半径方向の長さを備えている。中間領域と、これら固定領域との間の連続した移行の結果として、並びに、この中間領域の凹状の構成によって、毛髪部分を巻き付けるためのスペースは、このヘアカーラーの中央を出発点として、両方の端部領域に向けての方向で益々狭くなり、従って、巻き付け工程の終わりごろに、巻き付けられるべき毛髪の一部が、同様に、フック形状の保持部材によって係合される危険が存在する。このことは、この解き工程に、著しく不利な影響を与える。
【０００３】
更に別のヘアカーラーは、ドイツ連邦共和国特許第１９６  ４８  １８６号明細書（特許文献2）から公知である。管体部分の形状を有する支持体は、適当な貫通開口部を有する、合成物質から射出成形された成形体として形成されている。この支持体は、この支持体の円筒形の外周の上に薄層を有しており、この薄層が、ヴェルクロファスナー（Klettverschlusses）のフックベルトの帯状部材から成っている。その場合に、ここで扱われているのは付着式カーラー（Haftwickler）であり、その際、このフックベルトのフックは、毛髪部分の毛髪の先端を、巻き付け工程の開始時に、このヘアカーラーの上で固定するために使用される。それぞれの巻き付けられるべき毛髪の束の長さに応じて、その場合に特に、この支持体の中間領域内において、このヘアカーラーは、このフックベルトのフックがこのヘアカーラーの両方の端部領域内において毛髪が巻き付けられていない際にも、頭部に沿っての生えぎわに到達し得ないことを引き起こす巻回が形成される。この公知のヘアカーラーは、如何なる別個の固定領域も有してなく、むしろ、このフックベルトのこれらフックにおける、巻き付け工程の終わり、および毛髪の固持が、いわば、固定装置を形成する。他の実施形態において、支持体の外周上に、如何なるフックベルトも設けられてなく、むしろ、ヴェルクロファスナーのフリーズベルト（Flauschband）が設けられている。このようなベロアカーラー（Velourwickler）は、付加的に、一方では、この支持体の外周上で巻き毛を固定するために、並びに他方では、巻き付け工程の終了の後にこの頭部に対して相対的にこのヘアカーラーを固定するために、固定装置を必要とする。このような固定装置は、横方向ピン、または、このフリーズベルトに対して付加的に使用されるフックベルトの断片から成っている。
【０００４】
この公知のヘアカーラーは、使用の際に、種々の欠点を有している。巻き付けの際に、毛髪の束が、巻き付け工程の際に、このヘアカーラーの全軸線方向長さにわたって分散し、且つ、毛髪の領域が、しかもその上、このヘアカーラーから側方に滑り落ちることは、防止可能ではない。巻き毛を解く際に、特に終端部領域内において、この毛髪部分が、先ず第一に、困難な状態で解離する危険が存在する。このことは、同様に中間領域内における解き工程の終わりごろにも言えることである。この解きの際に、要するに、フックベルトの終端部領域がフリーになり、その際、従来、巻き込まれていない毛髪が、この解き工程の際に巻き込まれる危険が存在する。上記のことによっての結果、このヘアカーラーを使用する際に、毛髪は頭部から抜き取られる。何故ならば、これら毛髪は、この支持体の順方向回転によっても、逆方向回転によっても、この支持体から解離され得ないからである。
【０００５】
ドイツ連邦共和国特許第４０  １８  ２０２号明細書（特許文献３）から、人の毛髪を巻き付けるための、夜に使用されるべき付着式カーラーが公知であり、この付着式カーラーは、同様に、円筒形の支持体、および、この支持体の上に、フックベルトの断片から成る薄層を有している。これらフック状体は、切り開かれたループから形成され得る。この支持体およびフックベルトから成るユニットは、全体として柔軟に且つ弾性的に形成されている。この支持体は、発泡された合成物質から成る円筒断片であり、その際この円筒断片は、この円筒断面が液体を収容することが可能な状態にあり且つスポンジ状に搾り出し可能であるように、密な多孔性に形作られている。このような付着式カーラーは、上記で既に説明されたような、類似の欠点を有している。ヴェルクロテープの使用は、同様にここでも、カーラーの使用の際に、毛髪が抜き取られる危険をもたらす。
【０００６】
ドイツ連邦共和国実用新案第２０２  ０７  １６２号明細書（特許文献４）から、円筒形の本体の形状のパーマネント用カーラーが公知であり、このカーラーの外周面の上に、半径方向に突出する剛毛を有する剛毛材料が、巻き付けられるべき毛髪の束の引っ掛け固定のために設けられている。この円筒形の成形体は、全長にわたって一定の直径を有している。このパーマネント用カーラー上の剛毛は、このカーラーの長さの中間の領域内において、基本的に、両方の端部領域内におけるよりもより短い剛毛を備えている。異なる剛毛の相違する半径方向の長さによって、これら剛毛の自由な端部における階段状の段差部が、このカーラーの軸線方向長さにわたって与えられる。中間領域内におけるこれら剛毛は、両方の端部領域内における剛毛のほぼ半分の半径方向長さを有することは可能である。このヘアカーラーの軸線方向にわたって一貫する、支持体の一定の直径の結果として、巻き付けられるべき毛髪部分が、同様に更に、比較的により長い剛毛を有する端部領域の範囲内へと入り込むことの危険が、増大された度合いで存在する。解す際の困難性は、終端部領域内において、如何なるフック形状の保持部材も、頭部に沿ってのヘアカーラーの固定のために設けられてなく、むしろ中間領域内におけるように、ただ半径方向に突出する剛毛が設けられていることだけによって防止され、従って、このヘアカーラーは、巻き付け工程の終了の後、この頭部に沿って、他の方法で、例えば横方向ピンまたはその種の他の物によって、固定もしくは保持されねばならない。
【特許文献１】ドイツ連邦共和国特許公開第１７  ５７  ７１４号明細書
【特許文献２】ドイツ連邦共和国特許第１９６  ４８  １８６号明細書
【特許文献３】ドイツ連邦共和国特許第４０  １８  ２０２号明細書
【特許文献４】ドイツ連邦共和国実用新案第２０２  ０７  １６２号明細書
【発明の開示】
【発明が解決しようとする課題】
【０００７】
従って、本発明の根底をなす課題は、そのヘアカーラーの場合に、巻き毛へと巻き付けられた毛髪が、基本的にこのヘアカーラーの中間領域の上で集中されており、且つ、そのヘアカーラーが、例えば横方向ピン、クリップまたはその種の他の物の様式における付加的な固定装置無しに、頭皮の近傍での巻き付け工程の最終状態を維持する、冒頭に記載した様式のヘアカーラーを提供することである。
【課題を解決するための手段】
【０００８】
この課題は、本発明に従い、冒頭に記載した様式のヘアカーラーの場合に、
頭部に沿ってのこのヘアカーラーの固定のための固定領域が、巻き付けられるべき毛髪部分のための収容スペースの準備のために、中間領域内におけるより小さな直径と比較して、段差的に拡大された直径を有していること、および、
この中間領域内における突出部が、巻き付け工程の開始時における毛髪の先端を固定するために、支持体から半径方向に突出するとげ状体として形成されており、これらとげ状体の半径方向の長さが、ほぼ、固定領域に沿ってのフック形状の保持部材の半径方向長さの半分に相応すること、
によって達成される。
【発明の効果】
【０００９】
本発明は、毛髪部分を巻き付けるための巻き付け領域を、ヘアカーラーの２つの固定領域から、場所に関して、および機能的に分離することの思想を出発点としている。中間領域は、その際に、支持体の軸線方向の両方の端部から離された状態で形成されており、且つ配設されている。両方の自由な端部において、それぞれ１つの固定領域が形成されている。この中間領域は、これら固定領域よりもより小さな直径を有しているだけではない。中間領域と固定領域との間に、むしろ直径の段差が実現されている。従って、いわば、直径において突出する２つの端部フランジを有するスプールが形成され、これら端部フランジは、毛髪の束の巻き付けの際の、この毛髪の束をただこの中間領域内においてだけ巻き付けるための、視覚的な補助であるだけはない。この直径の段差によって、同様に、この毛髪の束の巻き付け厚さによって満たされる、巻き付けられるべき毛髪のための余地、即ち収容スペースも形成される。これら両方の固定領域は、これら固定領域の外周上で、フックベルトの断片を備えている。ここで同様に単に付着用突起部が設けられ、もしくは形成されていることも可能である。これら付着用突起部は、巻き付けられるべき巻き毛との作用接触の状態になるのではなく、むしろ、これら付着用突起部が巻き付け工程の終期においてこのヘアカーラーのための固定装置として使用されることの役目を果たす。この巻き付け工程の終期において、このヘアカーラーは、頭皮に対して押圧され、その際、両方の固定領域がこの頭皮の領域内における生えぎわに当接し、且つ、従って、このヘアカーラーがこの頭皮に沿ってのこのヘアカーラーの所定の強固な座りを得るための働きをする。人の頭部は、周知のごとく、如何なる平坦な面も成してなく、むしろ、丸くされた形状を備えているので、この直径の段差は、これら固定領域が、生えぎわに到達可能であることを許容する。この新規のヘアカーラーは、固定のために、横方向ピンも、ゴム、クランプ、クリップ、またはその他の別個の固定手段も必要としない。これら巻き付けられた毛髪は、この支持体によって、この頭皮に対して中間領域の載置面でもって押圧されず、むしろ、この直径の段差によって、この頭皮からのある程度の間隔が得られ、このことは、パーマネントの場合に、毛髪破損の危険を防止する。この頭皮の近傍の巻き付けられた毛髪部分の端部は、このヘアカーラーの上で、急勾配に、上方に案内され、このことは、ヘアースタイルのボリューム感のために大きな利点である。このヘアカーラーが、少し温められた状態において使用される場合、頭皮の上での直接的な載置が回避されることは極めて有利である。如何なる圧力を受ける位置も生じない。基礎熱（Grundwaerme）のために比較的に高い電位が可能である。この頭皮の上での中間領域の非載置は、巻き付けられた巻き毛が、頭皮から若干離れた状態で存在しているという利点も同様に有している。このことから、比較的に短い乾燥時間が結果として生じる。何故ならば、この頭皮と中間領域との間の空気が、循環可能であるからである。要するに、この新規のヘアカーラーは、公知の冒頭に記載したヴェルクロテープカーラーと比較して、頭部に沿ってのより良い付着性を備えている。���故ならば、フックベルト領域が、巻き付けられた巻き毛によって、覆われないからである。同様に１つの巻き毛の解き工程も、この新規のヘアカーラーの場合、このヴェルクロテープカーラーの場合よりも、より簡単であり且つより危険が無い。このヘアカーラーは、２本の指でもって、ローラーの様式により保持され、且つ、この頭皮から離すことによって取り去られ、その際、隣接する毛髪が共に巻き込まれ、またはこの巻き毛の要素がこのフックベルトと接触する危険は無い。
【００１０】
中間領域内における突出部は、巻き付け工程の開始時に、ただ毛髪の先端を固定するためだけに使用される。これら突出部は、支持体から半径方向に突出するとげ状体として形成されており、これらとげ状体の半径方向の長さが、ほぼフック形状の保持部材の半径方向の長さの半分に相応する。これらとげ状体は、同様に波状起伏部の様式でも、この中間領域の表面上において実現され得る。これらとげ状体の、フック形状の保持部材と比較してより短い半径方向の長さ、および、これらとげ状体の他の形状によって、これらとげ状体は、巻き毛の巻の展開工程（Ausrollvorgang）を、引寄せ運動（Anziehbewegung）の如何なる局面においても妨害しない。
【００１１】
固定領域の軸線方向の長さが、中間領域の軸線方向の長さに対して、１：３から、ほぼ１：６までの比率内において寸法を設定されている場合、有利である。このヘアカーラーのこれら両方の固定点が、巻き付け最終状態において頭皮に確実に到達され、且つ維持され得るために、同様にこれら両方の固定領域も、これら固定領域が毛髪部分の巻き付け工程に関与しないにもかかわらず、このヘアカーラーの残部と比べて、ある程度の軸線方向長さを有していなければならない。即ち、それぞれの固定領域の軸線方向の長さを、相対的に過度に短く選択することは、何の役にも立たない。他方では、このヘアカーラーの絶対的な長さも、直径の段差、および、この中間領域ならそれぞれの固定領域の軸線方向長さに影響を及ぼす。
【００１２】
それぞれの固定領域は、一定の、軸線方向の長さにわたって一貫した直径を有して形成されている。凸状または凹状の形状は、必要ではない。何故ならば、上記のことに関連する差異は、フックベルトのフックによって架橋されるからである。
【００１３】
中間領域の直径と、それぞれの固定領域の直径との間の直径の段差は、所定の長さ、および従って毛髪部分の巻き付け厚さにそれぞれ応じて、寸法を設定される。特別に長い毛髪の保持者に関して、同様に比較的に大きな、毛髪部分の巻き付け厚さが、巻き付けられた巻き毛において生じ、従って、このことに関連して、比較的に大きな直径の段差が必要である。このことは、同様に、中間領域の直径に対する比率においても言えることである。公知のように、巻き毛の直径を種々に形作るために、種々の大きさにおけるヘアカーラーが存在する。比較的に短い毛髪の保持者に関して、同様に毛髪部分の巻き付け厚さは比較的に僅かであり、従って、このことに関連して、同様にこの直径の段差は、より僅かという結果となる。この直径の段差は、ほぼ２から８ｍｍまでの間の範囲内において、および同様に、このヘアカーラーの種々の大きさに依存して定められている。
【００１４】
中間領域は、一定の、軸線方向の長さにわたって一貫して形作られた直径を有して形成されており、即ち、円筒形の形状賦与形態を備えており、従って、この中間領域が、この中間領域の全ての位置において、円形リング断面を有している。この中間領域が、同様に凹状に形作られている、即ちこの中間領域の中央において比較的に小さな直径が設けられている場合、しかしながら断じて有害ではない。これに伴って、巻き付けられるべき巻き毛はこの中間領域の中央に集中され、従って、この巻き毛が固定領域との接触状態にならないことが目指される。この中間領域のこのような形状の場合、直径の段差は、これら固定領域の直径に対する比率における、この中間領域の中央における最も小さな直径に関係する。
【００１５】
支持体の断面は、二義的である。従って、この支持体は、この支持体の中間領域において、及び／または両方の固定領域において、円形の、長円形の、または、多角形の断面を有していることは可能である。有利には、この断面は、しかしながら円形に形作られている。
【００１６】
巻き付けられるべき毛髪部分の毛髪の先端の固定が、中間領域の表面において促進されるために、中間領域の表面は、全面的、または部分的に、粗面化された状態、波状起伏化された状態、とげ状化された状態、または他の何らかの状態で形成されている。一般的に、この中間領域の表面の形状は、両方の固定領域内における形状よりもより僅かに型押し加工されている。限界において、しかしながら同様に、この中間領域がフックベルトの断片を備えていることも可能であり、このフックベルトは、ただし、この中間領域の軸線方向の全長さにわたって延在する必要はない。
【００１７】
支持体は、形状安定的に、即ち、例えば硬質の合成物質から成る成形体のように、ほんの少しだけ可撓的に形成されている。しかしながら同様に、この支持体を、例えば、横たわった状態における、または一晩中の、ヘアカーラーの使用を可能とするため、及び／または、スポンジ状の支持体を使用するため、および従って、調髪用のセットローション、または他の液体の使用を可能とするために、柔軟に、且つ弾性的に形作ることも可能である。
【００１８】
次に、図に図示された有利な実施例に基づいて、本発明を更に説明する。
【発明を実施するための最良の形態】
【００１９】
図１に図示されたヘアカーラー１は、支持体２を有し、この支持体が、形状付与した成形部材として、例えば合成物質、金属、およびその種の他の物から成る成形体として形成されている。この支持体２は、有利には、中空に形作られている。軸線方向において、この支持体２は、中間領域３を、および、この支持体の端部において、それぞれ１つの固定領域４を備えている。これら両方の固定領域４は、お互いの間で同じ直径を備えており、この直径が、しかしながら、中間領域３の直径よりもより大きく形作られており、従って、このヘアカーラー１は、両端部で半径方向に外方へと張り出している縁部分を有するスプール、またはロール形状を備えている。これら両方の固定領域４は、有利には、これら固定領域の軸線方向の延在全体にわたって、フックベルト５によって円周状に覆われている。前述のようなフックベルト５は、ヴェルクロファスナーの構成要素として公知である。これらフックベルトは、外方へと突出するとげ状体、またはフック状体６を有する、織られた、または編まれた部分から成っている。これらフック状体６は、特に、切り開かれたループによって形成される。ヘアカーラーの、中間領域３、しかしながら同様に固定領域４は、多数の貫通開口部７を備えている。
【００２０】
図２は、頭皮９の領域内における人の頭部８における、ヘアカーラー１の巻き付けられた状態を示しており、その際、この頭部８に沿っての残りの毛髪は図示されていない。ただ唯一の巻き付けられた毛髪部分だけが示されており、この毛髪部分は巻き毛１０へと巻き付けられている。このような巻き毛１０の巻き付け工程は、毛髪の先端において開始することは自明のことである。中間領域３の中央において、とげ状体ベルト１１の断片が載置されている。このとげ状体ベルト１１のとげ状体は、半径方向において、それぞれの固定領域４内におけるフックベルト５のフック状体６よりも、比較的により短く形成されている。このとげ状体ベルト１１は、同様にただこの中間領域の軸線方向の長さのある程度の部分だけにわたって延在している。このとげ状体ベルトは、これら毛髪の先端を、そこでもって固定すること、および、巻き付け工程を開始することのために使用される。この中間領域３と両方の固定領域４との間の直径の段差によって、巻き毛１０へとこの毛髪部分を巻き付る際に、この巻き毛が、ただ中間領域３内においてだけで堆積し、且つ、そこでもって、ある程度の巻き付け厚さを得ることが保障される。この巻き付けの際に、両方の固定領域４内におけるフックベルト５は、毛髪からフリーのままである。ヘアカーラー１は、巻き付け工程の間じゅう、頭皮９に近づくや否や、この巻き付け工程は終了され、このヘアカーラー１の押付けが、頭皮に対して行われる。この状況は、図２に図示されている。これら両方の固定領域４の、両方のフックベルト５のフック状体６は、頭皮９の近傍の生えぎわにおける毛髪に係合し、従って、このヘアカーラー１が、このヘアカーラーの所定の強固な座りを、この頭皮９の近傍において得る。この中間領域３のより小さな直径と、これら固定領域４の直径との間の直径の段差によって、一方では、この巻き毛１０のある程度の巻き付け厚さのためのスペースが得られる。それにも拘らず、これら固定領域４の拡大された直径によって、その頭部が広い範囲内において丸く形成されている場合にも、この頭部８における強固な座りを得ることの可能性が与えられている。この巻き毛１０へと、この生えぎわにおいて巻き付けられた毛髪は、屈曲されるのではなくて、むしろ、毛根と、この巻き毛１０の周囲における巻き付け位置との間で、この頭部８に対して半径方向の姿勢で指向し、このことは、結局、これに伴って形成された形姿の豊かさを促進する。同様に巻き付け最終状態においても、依然として、空気のための空きスペース、および通り抜けスペースが残留し、これら毛髪が湿った状態において巻き付けされる場合、従って同様にこの頭皮９に面した巻き毛１０の部分は空気に曝され、もしくは乾燥される。
【００２１】
図２によるヘアカーラーは、以下の寸法関係を有することができる。中間領域３は、３２ｍｍの直径１２を備えている。この中間領域３は、４０ｍｍの軸線方向長さ１３にわたって延在している。両方の固定領域４は、４０ｍｍの直径１４を有しており、且つ、それぞれに、１０ｍｍの軸線方向長さ１５を備えている。フック状体６は、半径方向に、約３ｍｍだけ延在している。とげ状体ベルト１１のとげ状体は、１．５ｍｍの長さである。
【００２２】
図２による実施形態の支持体２は、１つの部材から成る成形体として形作られている。単に、フックベルト５の両方の断片およびとげ状体ベルト１１は、溶接結合によって、支持体２と結合されており、その際、同時に、それぞれのベルト断片の両方の端部がつなぎ合わされる。
【００２３】
図３に図示された実施形態は、より小さなサイズにおける、即ち、より小さな直径でより短い毛髪の先端の巻き付けのために設けられているヘアカーラー１を示している。このヘアカーラー１は、３つの部材から成るように形成されている。支持体２は、このヘアカーラーの軸線方向長さにわたって一貫した管体部分１６、および、２つのリング１７から組み合わされている。この組み合わせは、粘着結合、またはスナップ止め結合によって、容易ならしめられる。これら載置されたリング１７は、その場合に、固定領域４を形成し、且つ、従って同様にこの中間領域３に対する直径の段差をももたらす。中間領域３は、巻き付けの開始のための毛髪の当着を容易ならしめるために、波状起伏部１８を備えている。同様にここでも、これらリング１７にフックベルト５の断片を備えること、もしくは、フック状体６を、直接的にこれらリング１７に附設して形成することの可能性が存在する。直径および長さの関係は、ここで、幾分変化されている。ここで扱われるのは、比較的に小さなサイズのヘアカーラーである。同様に直径の段差も、図２、即ちそこで図示されたサイズの実施形態と比較して減少されている。
【００２４】
図４は、支持体２を有するヘアカーラー１の更に別の実施形態を示しており、この支持体が、この支持体の中間領域内において、軸線方向長さ１３にわたって見て、異なる直径１２を有している。この中間領域３の中央において、この直径１２は、最も僅かである。そこで、同様に他方また、とげ状体１９、または、針状の突起部が設けられていることは可能である。
直径は、この中間領域３内において、固定領域４への方向に、幾分増大しており、従って、ここで、巻き付けられた巻き毛１０が、格別優れた方法でこの中間領域３の中央内において集中され、従って、この固定領域のフック状体６が、巻き付け工程の際にフリーのままであり、このことはこの固定機能のために有意義である。このようなヘアカーラーは、特に強度に丸い頭部分のために有意義である。同様のことは、しかしながら直径１２と１４との間の直径の段差が比較的に大きく形作られている場合にも達せられる。
【００２５】
このヘアカーラー１の使用は、極めて簡単であり、且つ、確実に実施可能である。巻き付け工程を開始するために、巻き付けられるべき毛髪部分の先端が、中間領域３内におけるとげ状体ベルト１１、波状起伏部１８、またはとげ状体１９を用いて付着され、且つ、続く巻き付け工程において、そこで、これら毛髪が、固定領域４のフックベルト５のフック状体６と接触すること無しに、巻き毛１０へと巻き付けられる。この巻き付け工程の終期において、このヘアカーラー１は、頭皮９に近づき、且つ、頭部８に対する押付け工程が行われ、その際、ここでいまや、フック状体６が、巻き付けられていない隣接する毛髪部分に対してフック止めされる。
【００２６】
解き工程は、同様に、極めて簡単に具体化する。生えぎわ９からのヘアカーラー1のほんの少しだけの半径方向の離反によって、フック状体６はフリーとなり、且つ、支持体２が、２本の、両端部で中空の断面内へとはまり込む指でもって、容易に展開可能であり、
その際、ただ頭部８からの半径方向における引出しだけが必要である。引出し運動の終わりごろに、巻き毛１０は、解放され、従って、この巻き毛が、この巻き毛の巻回された形状に跳ね戻る。
【図面の簡単な説明】
【００２７】
【図１】第１の実施形態における、ヘアカーラーの透視図である。
【図２】そのヘアカーラーの頭皮の近くの巻き付け最終状態における、図１によるヘアカーラーの断面図である。
【図３】３つの組み合わされた部材から成るヘアカーラーの、更に別の実施形態の図である。
【図４】ヘアカーラーの１つの実施形態の、更に別の断面図である。
【符号の説明】
【００２８】
１    ヘアカーラー
２    支持体
３    中間領域
４    固定領域
５    フックベルト
６    フック状体
７    貫通開口部
８    頭部
９    頭皮
１０  巻き毛
１１  とげ状体ベルト
１２  直径
１３  長さ
１４  直径
１５  長さ
１６  管体部分
１７  リング
１８  波状起伏部
１９  とげ状体
【図１】
2005537875.tif 000003
【図２】
2005537875.tif 000004
【図３】
2005537875.tif 000005
【図４】
2005537875.tif 000006
【国際調査報告】
2005537875.tif 000007
2005537875.tif 000008
2005537875.tif 000009
2005537875.tif 000010
2005537875.tif 000011
2005537875.tif 000012